(57)【要約】【課題】悪意ある者によって個人を特定する情報が読み取られる機会を少なくすることにより、情報を守ることが可能な情報格納素子用遮蔽体を提供する。【解決手段】情報格納素子用遮蔽体２００は、無線信号の読取信号により非接触で個人を特定する情報が読み取られる情報格納素子１０が、読取信号を遮蔽するシールド部材により囲っている。情報格納素子用遮蔽体２００のシールド部材は、切欠部２０３から破断することで開放可能であり、情報格納素子１０を取り出すことが可能である。【選択図】図２
2019040511.tif 000002
【特許請求の範囲】
【請求項１】
無線信号の読取信号により非接触で個人を特定する情報が読み取られる情報格納素子を囲い、前記読取信号を遮蔽するシールド部材を備え、前記シールド部材が開放可能な情報格納素子用遮蔽体。
【請求項２】
前記情報格納素子は、封止用部材により形成された封止部により封止された請求項１記載の情報格納素子用遮蔽体。
【請求項３】
前記シールド部材は、袋状のフィルム部材により形成された請求項１又は２記載の情報格納素子用遮蔽体。
【請求項４】
前記シールド部材は、前記情報格納素子が載置される薄板状の台紙部と、前記情報格納素子を覆うシート状のフィルム部材によるカバー部により形成された請求項１又は２記載の情報格納素子用遮蔽体。
【請求項５】
前記シールド部材は、前記情報格納素子が埋設された商品を収納する、蓋部を有する箱状に形成された請求項１又は２記載の情報格納素子用遮蔽体。
【請求項６】
前記シールド部材は、前記情報格納素子を収納するために商品に形成された凹部の内側面に設けられた遮蔽部と、前記凹部の蓋部となるカバー部とにより形成された請求項１又は２記載の情報格納素子用遮蔽体。
【請求項７】
前記シールド部材は、前記情報格納素子が格納される人工歯により形成された請求項１又は２記載の情報格納素子用遮蔽体。
【請求項８】
前記人工歯は、前記読取信号を遮蔽し、自然歯と異なる色に着色された外層部と、前記情報格納素子が格納され、前記読取信号を透過する内層部とを備えた請求項７記載の情報格納素子用遮蔽体。
【発明の詳細な説明】
【技術分野】
【０００１】
本発明は、無線信号による読取信号により非接触で、個人を特定する情報が読み取られる情報格納素子を収納する情報格納素子用遮蔽体に関するものである。
【背景技術】
【０００２】
鉄道などでは、定期券や切符として機能するＩＣカードを、改札口に設置された改札機に翳して認証を取ることで、改札が通過できる。このＩＣカードには、無線信号による読取信号により非接触で所有者を特定する情報が読み取られたり、書込信号により入札記録や残高情報が書き込まれたりする情報格納素子が内蔵されている。
また、情報格納素子は、物流においては商品管理に使用されたり、店舗における商品の盗難防止に使用されたり、情報格納素子は様々な用途で使用される。
【０００３】
例えば、特許文献１には、個人情報を格納した発信素子が有床義歯に内蔵された安否確認システムが記載されている。
また、特許文献２には、ＵＲＬ（Uniform Resource Locator）が書き込まれたＮＦＣ（Near Field Communication）タグが封入されたお守りを、ＮＦＣ機能を搭載したインターネット端末にかざすと、自身の占い結果及び閲覧状況を知ることができ、災害時等非常時においては利用が容易な安否確認手段ともなるうるＮＦＣ占いシステムが記載されている。
【先行技術文献】
【特許文献】
【０００４】
【特許文献１】特開２０１３−９７４４０号公報
【特許文献２】特開２０１５−１７９４１５号公報
【発明の概要】
【発明が解決しようとする課題】
【０００５】
特許文献１に記載の安否確認システムでは、発信素子（情報格納素子）が歯科医師又は歯科技工士によって有床義歯に埋設され、直接、患者に手渡されるため、有床義歯の製作過程において発信素子に他人が接触する機会は少ない。しかし、情報格納素子の提供会社から、歯科医院、そして有床義歯を作製する歯科技工所へ配送される間に、悪意ある者によって読取装置により情報格納素子から情報が読み取られる可能性がある。
【０００６】
特許文献２に記載のＮＦＣ占いシステムでは、例えば、このお守りが店頭で販売されるような場合に、悪意ある者によって店頭に並ぶお守りから読取装置により情報が読み取られる可能性がある。
【０００７】
更に、特許文献１、２の情報格納素子に、悪意ある者が情報を読み取った後に、書込装置により情報を書き込み、情報を改竄する可能性がある。
【０００８】
そこで本発明は、悪意ある者によって個人を特定する情報が読み取られる機会を少なくすることにより、個人を特定する情報を守ることが可能な情報格納素子用遮蔽体を提供することを目的とする。
【課題を解決するための手段】
【０００９】
本発明の情報格納素子用遮蔽体は、無線信号の読取信号により非接触で個人を特定する情報が読み取られる情報格納素子を囲い、前記読取信号を遮蔽するシールド部材を備え、前記シールド部材が開放可能であることを特徴とする。
【００１０】
本発明の情報格納素子用遮蔽体によれば、無線信号の読取信号により非接触で個人を特定する情報が読み取られる情報格納素子が、読取信号を遮蔽するシールド部材により囲われているため、開放状態となる前の使用状態で、悪意ある者から読取装置により個人を特定する情報が読み取られることを防止することができる。
【００１１】
前記情報格納素子は、封止用部材により形成された封止部により封止されていることが望ましい。情報格納素子が封止部により封止されていることで、本発明の情報格納素子用遮蔽体から情報格納素子を取り出したときに、汚損や静電気による破損などから保護することができる。
【００１２】
前記シールド部材を、袋状のフィルム部材により形成することができる。情報格納素子を袋状のシールド部材に収納することで情報格納素子を読取信号から遮断することができ、シールド部材を破断することで情報格納素子を取り出すことができ、情報格納素子から情報を読み出すことができる。
【００１３】
前記シールド部材を、前記情報格納素子が載置される薄板状の台紙部と、前記情報格納素子を覆うシート状のフィルム部材によるカバー部により形成することができる。情報格納素子を台紙部とカバー部との間に収納することで情報格納素子を読取信号から遮断することができ、カバー部を台紙部から剥がすことで情報格納素子を取り出すことができ、情報格納素子から情報を読み出すことができる。
【００１４】
前記シールド部材を、前記情報格納素子が埋設された商品を収納する、蓋部を有する箱状に形成することができる。箱状のシールド部材に商品を収納することで情報格納素子を読取信号から遮断することができ、蓋部を開けることで情報格納素子を取り出すことができ、情報格納素子から情報を読み出すことができる。
【００１５】
前記シールド部材を、前記情報格納素子を収納するために商品に形成された凹部の内側面に設けられた遮蔽部と、前記凹部の蓋部となるカバー部とにより形成することができる。商品の凹部に情報格納素子を収納することで情報格納素子を読取信号から遮断することができ、カバー部を剥がすことで情報格納素子から情報を読み取ることができる。
【００１６】
前記シールド部材を、前記情報格納素子が格納される人工歯により形成することができる。情報格納素子を人工歯に格納しても、人工歯がシールド部材であるため、情報格納素子から情報を読み出すことを防止することができる。
【００１７】
前記人工歯は、前記読取信号を遮蔽し、自然歯と異なる色に着色された外層部と、前記情報格納素子が格納され、前記読取信号を透過する内層部とを備えたものとすることができる。
情報格納素子が内層部に格納されているが、外層部が自然歯と異なる色に着色されているため、情報格納素子が格納された人工歯を容易に特定できる。また、外層部により読取信号が遮蔽されるため、情報格納素子から情報が読み取れないが、内層部が露出するまで、外層部を切削することにより、情報格納素子から情報を読み出すことができる。
【発明の効果】
【００１８】
本発明の情報格納素子用遮蔽体によれば、情報格納素子を本発明の情報格納素子用遮蔽体に収納することで、悪意ある者によって個人を特定する情報が読み取られる機会を少なくすることができるため、個人を特定する情報を守ることが可能である。
【図面の簡単な説明】
【００１９】
【図１】樹脂封止部に封止された情報格納素子を示す斜視図である。
【図２】情報格納素子を収納した実施の形態１に係る情報格納素子用遮蔽体を示す斜視図である。
【図３】情報格納素子が埋設された有床義歯を示す斜視図である。
【図４】情報格納素子が格納された有床義歯から識別情報を読み取る管理システムを説明するための図である。
【図５】情報格納素子用遮蔽体の使用状態について説明するための図である。
【図６】登録はがきを示す図である。
【図７】実施の形態１に係る情報格納素子用遮蔽体の変形例を示す図であり、情報格納素子が載置された薄板状の台紙部に、シート状のフィルム部材によるカバー部により情報格納素子を覆うようにしたパッケージ部を説明するための斜視図である。
【図８】実施の形態２に係る情報格納素子用遮蔽体が情報格納素子を収納した状態を示す図である。
【図９】実施の形態３に係る情報格納素子用遮蔽体が情報格納素子を収納して御守に収納された状態を示す図である。
【図１０】実施の形態３に係る情報格納素子用遮蔽体が情報格納素子を収納してキーホルダーに収納された状態を示す図である。
【図１１】実施の形態４に係る情報格納素子用遮蔽体が情報格納素子を収納して杖に収納された状態を示す図であり、（Ａ）は杖全体を示す図、（Ｂ）は杖の取手部を示す図、（Ｃ）は情報格納素子が埋設された凹部の断面図である。
【図１２】実施の形態５に係る情報格納素子用遮蔽体である人工歯が情報格納素子を収納して義歯床に装着された総義歯を示す図であり、（Ａ）は上顎義歯、（Ｂ）は下顎用義歯である。
【図１３】図１２に示す人工歯を説明するための断面斜視図である。
【発明を実施するための形態】
【００２０】
（実施の形態１）
本発明の実施の形態１に係る情報格納素子用遮蔽体を図面に基づいて説明する。
まず、情報格納素子について、図１に基づいて説明する。
図１に示す情報格納素子１０は、矩形薄板状に形成され、読取信号により電力を得て、この電力により内部に格納された情報を示す情報信号を送信することにより、非接触で情報が読み取られるパッシブ型のＲＦＩＤである。
情報格納素子１０に格納される情報は、書き替えができないＲＯＭ領域と、書き替え可能なＲＡＭ領域とに分かれている。
【００２１】
情報格納素子１０は、封止用部材により形成された円盤状の封止部１１により封止されている。封止部１１を形成する封止用部材は、例えば、人体に安全なポリメチルメタクリレート（ＰＭＭＡ）、ポリアミド（ＰＡ）、ポリエチレンテレフタラート（ＰＥＴ）、ポリエチレン（ＰＥ）などの様々な樹脂材が使用できる。
本実施の形態では、封止部１１を円盤状としたが、厚みのある、正方形状、三角形状、又は星型やハート型などの異形状とすることもできる。
【００２２】
この情報格納素子１０は、図２に示す情報格納素子用遮蔽体２００に収納され、販売される。
情報格納素子用遮蔽体２００は、袋状のフィルム部材に、開封位置を示す表示、必要に応じて、情報格納素子１０を提供する会社名の表示、及びこの会社名の居所を示す表示が印刷されたパッケージ部２０１により形成されている。
パッケージ部２０１の四辺の周縁部２０２のうち、一方の短辺２０２ａはおもて面と裏面とが繋がっており、一方の短辺２０２ａを除く三辺は、ヒートシールによりおもて面と裏面とが接着されている。
情報格納素子用遮蔽体２００には、両方の長辺２０２ｂに、開封位置を示す切欠部２０３が形成されている。
【００２３】
パッケージ部２０１を形成するフィルム部材に金属粉を含有させることで、フィルム部材を、読取信号を遮蔽するシールド部材とすることができる。また、樹脂フィルムに金属箔を貼り付けることで、フィルム部材をシールド部材とすることができる。
この情報格納素子１０は、情報格納素子用遮蔽体２００から取り出され、図３に示す有床義歯３１に埋設される。
【００２４】
図３に示す有床義歯３１の義歯床３１ａに埋設された情報格納素子１０には、有床義歯３１を装着する使用者を特定する情報が格納されている。本実施の形態１では、ＲＯＭ領域に２４桁の製造番号が格納され、この製造番号が個人（使用者）を特定する情報の一例である識別情報として使用される。この識別情報は、図４に示す情報管理システム４０により管理される。
【００２５】
情報管理システム４０は、歯科医院や歯科技工士、介護施設等に設置される読取装置４１と、情報格納素子１０を販売・管理する運営会社に設置される情報管理装置４２とを備えており、電気通信回線の一例であるインターネットＷを介して通信可能に接続されている。
読取装置４１は、無線信号により読取信号を情報格納素子１０に送信し、情報格納素子１０からの情報信号を受信して復号化することで、識別情報を読み取る。また、読取装置４１は、識別情報を無線通信よりインターネットＷを介して情報管理装置４２へ送信し、情報管理装置４２から使用者に関する情報を受信して、読取装置４１の表示部に表示する。
【００２６】
情報管理装置４２は、情報格納素子１０の識別情報と、使用者に関する情報とを関連付けて登録されたデータベースを有している。情報管理装置４２は、読取装置４１から送信された識別情報に基づく問い合わせに応じて使用者に関する情報を検索して読取装置４１へ提供する。
【００２７】
データベースに登録された使用者に関する情報としては、氏名、代理人（氏名・続柄）、住所、生年月日、性別、緊急連絡先（電話番号・氏名・続柄）が登録されている。
また、使用者に関する情報として、血液型、治療に掛かった歯科医院を特定する病院名や病院を識別するコードなども登録することができる。更に、病歴、投薬歴のほか社会歴、家族歴などが登録できる。
【００２８】
特に、使用者が認知症を患っている場合には、緊急連絡先に関する情報が格納されていると、徘徊する使用者の身元がすぐに確認でき、家族に連絡を取ったり、使用者の治療の許可を得るときに、すぐに連絡を取ったりすることができる。
【００２９】
以上のように構成された本発明の実施の形態１に係る情報格納素子用遮蔽体２００の使用状態について図面に基づいて説明する。
まず、歯科医院にて、有床義歯を装着しようとする患者又はこの患者の付添人は、歯科医師から、有床義歯に情報格納素子１０を埋設するか否かを尋ねられる。患者又は付添人は、歯科医師からの情報格納素子１０を使用することのメリットに同意して、情報格納素子１０を有床義歯に埋設することを歯科医師に依頼する。
【００３０】
歯科医師は、予め製造販売会社Ｆに情報格納素子１０をオーダーしておく。そうすることで、図５に示すように、情報格納素子用遮蔽体２００に収納された情報格納素子１０と、情報格納素子１０と患者とを紐付けするための登録はがき１２とが、歯科医師からオーダーを受けた製造販売会社Ｆから、歯科医院Ｄに配送される（Ｓ１０参照）。このようにして、歯科医師は、情報格納素子用遮蔽体２００に収納された情報格納素子１０を準備しておく。
【００３１】
歯科医院Ｄでは、歯科医師が、まず、患者又は付添人からの義歯作製の依頼に応じて、情報格納素子１０を義歯に埋設することの同意を患者又は付添人から得る。患者又は付添人からの同意が得られれば、患者の口腔内の印象を採得し、模型Ｍを作製する。そして、歯科医師は、この模型Ｍを、情報格納素子用遮蔽体２００に収納された情報格納素子１０と共に、歯科技工所Ｇへ送付する（Ｓ２０参照）。模型Ｍとしては、石膏模型を送付するようにしてもよいし、石膏模型を３Ｄスキャンしたデータを送付するようにしてもよい。
情報格納素子１０は、製造販売会社Ｆから歯科医院Ｄを介して歯科技工所Ｇへ配送される間、情報格納素子用遮蔽体２００に収納されているため、外部から情報格納素子１０の情報を読取装置により読み取ることができない。
【００３２】
歯科技工所Ｇでは、歯科技工士が、図２に示す情報格納素子用遮蔽体２００の一方の長辺２０２ｂ側の切欠部２０３から他方の長辺２０２ｂの切欠部２０３に向かって開封する。そうすることで、シールド部材により形成された情報格納素子用遮蔽体２００の一部が開放状態となるため、情報格納素子１０を取り出すことができる（Ｓ３０参照）。そして、歯科技工士は、情報格納素子１０を埋設した有床義歯３１を作製する。図５に示すように、有床義歯３１は、歯科医院Ｄへ送付され、歯科医師から患者に手渡される（Ｓ４０参照）。
【００３３】
患者は、歯科医師から手渡された登録はがき１２を、その場で、又は、自宅に持って帰って記入する。
図６に示す登録はがき１２には、情報格納素子１０に格納された識別情報を示す光学的読取情報の一例である２次元バーコード（例えば、ＱＲコード（登録商標））が印刷されたシール１２ａが貼られている。また、登録はがき１２には、２次元バーコードにより示される識別情報が目視により認識可能な１６進数の数字で印刷されたシール１２ｂが貼られている。
また、登録はがき１２には、情報管理装置４２に登録される使用者に関する情報が記入される記入欄が印刷されている。この登録はがき１２に、保険証番号や医療機関コードなど医療機関が記入する欄を設けることもできる。
【００３４】
使用者に関する情報が記入された登録はがき１２は投函され、図５に示す運営会社Ｃへ郵送される（Ｓ５０参照）。運営会社Ｃでは、２次元バーコードが示す識別情報（又は１６進数による識別情報）と、登録はがき１２に記入された使用者に関する情報とを情報管理装置４２に登録する。そうすることで、識別情報に、使用者に関する情報が関連付けて格納される。
【００３５】
例えば、有床義歯３１の使用者が事故や災害などの被害者となってしまい、負傷したり死亡したりしたときに、免許証や保険証などを携帯していない場合がある。その場合、被害者の身元を調査するのは困難である。
このとき、図４に示す読取装置４１により有床義歯３１に埋設された情報格納素子１０に格納された識別情報を読み取り、読取装置４１から情報管理装置４２に問い合わせを行う。そうすることで、情報管理装置４２から使用者に関する情報が読取装置４１に送信されるため、使用者の身元を容易に把握することができる。
【００３６】
以上のように、情報格納素子１０は、図５に示す製造販売会社Ｆから歯科医院Ｄ、歯科医院Ｄから歯科技工所Ｇへ配送されるときに、情報格納素子用遮蔽体２００に収納され、シールド部材により囲まれているため、悪意ある者が読取装置により、情報格納素子１０に向けて読取信号を送信しても、情報格納素子用遮蔽体２００が遮断するため情報格納素子１０から情報を読み取ることができない。
従って、情報格納素子用遮蔽体２００は、悪意ある者によって個人を特定する情報が読み取られる機会を少なくすることができる。従って、情報格納素子用遮蔽体２００により、情報を守ることが可能である。
【００３７】
また、情報格納素子１０が封止部１１により封止されていることで、情報格納素子用遮蔽体２００から情報格納素子１０を取り出したときに、汚損や静電気による破損などから保護することができる。また、小型な情報格納素子１０のサイズが一回り大きくなるため、情報格納素子１０を容易に取り扱うことができる。
【００３８】
なお、本実施の形態１に係る情報格納素子用遮蔽体２００では、切欠部２０３が形成され、切欠部２０３の位置から破断することで、情報格納素子用遮蔽体２００の一部を開放状態としているが、情報格納素子用遮蔽体２００の縁部から手操作により破断したり、挟みにより破断したりして、情報格納素子用遮蔽体２００を開放状態とするようにしてもよい。
【００３９】
（実施の形態１の変形例）
本発明の実施の形態１に係る情報格納素子用遮蔽体の変形例を図面に基づいて説明する。図７に示す情報格納素子用遮蔽体２１０は、パッケージ部２１１に情報格納素子１０が収納されている。パッケージ部２１１は、情報格納素子１０が載置される薄板状の台紙部２１２と、この台紙部２１２に配置された、封止部１１に封止された情報格納素子１０を覆うシート状のフィルム部材によるカバー部２１３とを備えている。
台紙部２１２には、おもて面に、情報格納素子１０を提供する会社名の表示、及びこの会社名の居所を示す表示が印刷されている。
【００４０】
台紙部２１２は、金属箔を薄板部材により挟み込む多層構造とすることにより、金属箔の部分を、読取信号を遮蔽するシールド部材とすることができる。また、薄板部材に金属粉を含有させることで、薄板部材自体をシールド部材とすることができる。更に、台紙部２１２を金属板により形成してシールド部材とすることもできる。
カバー部２１３は、フィルム部材に金属粉を含有させることで、読取信号を遮蔽するシールド部材としたフィルム部材により形成されている。また、カバー部２１３を、樹脂フィルムに金属箔を貼り付けることでシールド部材としたフィルム部材でも形成することができる。
【００４１】
情報格納素子１０を情報格納素子用遮蔽体２１０から取り出すときには、カバー部２１３の角部に配置された非接着部２１３ａを摘み、カバー部２１３を台紙部２１２から引き剥がすことで、情報格納素子用遮蔽体２１０を開放状態とし、情報格納素子１０を露出させ、取り出すことができる。
【００４２】
情報格納素子１０を収納する、図７に示す情報格納素子用遮蔽体２１０は、図２に示す情報格納素子用遮蔽体２００の代わりとして運用することができる。
情報格納素子用遮蔽体２１０のパッケージ部２１１を台紙部２１２とカバー部２１３とにより形成しても、情報格納素子１０をシールド部材により囲うことができるため、図２に示す情報格納素子用遮蔽体２００と同様に、悪意ある者によって情報格納素子１０の個人を特定する情報が読み取られる機会を少なくすることができる。
【００４３】
（実施の形態２）
本発明の実施の形態２に係る情報格納素子用遮蔽体を図面に基づいて説明する。
図８に示す御守３２には、木札３２ａと、情報格納素子１０とが収納されている。情報格納素子１０は、情報格納素子用遮蔽体２２０に収納されている。
情報格納素子用遮蔽体２２０は、図２に示す情報格納素子用遮蔽体２００と同様に、読取信号を遮蔽する袋状のフィルム部材（シールド部材）のパッケージ部２２１により形成されている。
この御守３２は、御守３２に収納された情報格納素子１０の識別情報を示す２次元バーコードおよび１６進数のコード（図６のシール１２ａ，１２ｂ参照）が付与された二つ折りの登録はがき１２と共に、袋１３に収納されている。
【００４４】
このように御守３２に収納された情報格納素子１０が、情報格納素子用遮蔽体２２０に収納されていることで、神社の授与所にて並んでいるときに、情報格納素子１０に向けて読取信号を送信しても、情報格納素子用遮蔽体２２０が遮断するため情報格納素子１０から情報を読み取ることができない。
【００４５】
御守３２を授かった使用者は、袋１３に収納された登録はがき１２に必要事項を記入して図５に示す運営会社へ送付することで、使用者に関する情報が情報管理装置４２に登録される。また、使用者は、通常、御守３２の中にどのようなものが入っているのかあまり探ることはしない。従って、使用者は、御守３２の中から木札３２ａと、情報格納素子用遮蔽体２２０に収納された情報格納素子１０とを取り出すことはなく携帯するケースが多い。
【００４６】
御守３２を持つ使用者が、事故や災害などの被害者となり、負傷したり死亡したりしたときには、御守３２から情報格納素子用遮蔽体２２０を取り出し、情報格納素子用遮蔽体２２０（パッケージ部２２１）を破り開放状態とし、情報格納素子用遮蔽体２２０の中から情報格納素子１０を取り出す。
【００４７】
そして、図４に示す読取装置４１により情報格納素子１０に格納された識別情報を読み取り、読取装置４１から情報管理装置４２に問い合わせを行う。そうすることで、情報管理装置４２から使用者に関する情報が読取装置４１に送信されるため、万が一のときに、使用者の身元を容易に把握することができる。
【００４８】
以上のように、使用者が御守３２を授かった後であっても、情報格納素子１０は、使用者に万が一のことが起きない限り、シールド部材により形成された情報格納素子用遮蔽体２２０に収納され、囲まれているため、悪意ある者が読取装置により、情報格納素子１０に向けて読取信号を送信しても、情報格納素子用遮蔽体２２０が遮断するので、情報格納素子１０から情報を読み取ることができない。
従って、情報格納素子用遮蔽体２２０は、悪意ある者によって個人を特定する情報が読み取られる機会を少なくすることができる。
【００４９】
（実施の形態３）
本発明の実施の形態３に係る情報格納素子用遮蔽体を図面に基づいて説明する。
図９に示すキーホルダー３３は、鍵を取り付けて携行するためのものとして、又は、鞄のベルトに付けアクセサリーとするためのものとして、店舗にて販売される商品である。キーホルダー３３は、フック部３３ａと本体部３３ｂとを備えている。
【００５０】
本体部３３ｂには、封止部１１に封止された情報格納素子１０が埋設されている。
このキーホルダー３３は、箱状に形成されたパッケージ部２３１に収納されている。
【００５１】
この箱状のパッケージ部２３１は、紙製の箱の内側面全体に、金属箔又は金属板をシールド部材として貼り付けることにより、パッケージ部２３１を情報格納素子用遮蔽体２３０として機能させることができる。
パッケージ部２３１は、蓋部２３１ａを開けることで開放状態とし、開口部２３１ｂから、キーホルダー３３を出し入れすることができる。
パッケージ部２３１には、キーホルダー３３に収納された情報格納素子１０の識別情報を示す２次元バーコードおよび１６進数のコード（図６のシール１２ａ，１２ｂ参照）が付与された二つ折りの登録はがき１２も、キーホルダー３３と一緒に収納されている。なお、このパッケージ部２３１は、紙や樹脂製の箱だけでなく、袋とすることができる。
【００５２】
読取信号を遮断するパッケージ部２３１にキーホルダー３３が収納されているため、キーホルダー３３が製造会社から販売店舗に配送される間、及びキーホルダー３３が店頭に並んで販売される間に、悪意ある者が読取装置により、情報格納素子１０に向けて読取信号を送信しても、シールド部材により形成された情報格納素子用遮蔽体２３０に収納され、囲まれているため、情報格納素子用遮蔽体２３０が遮断するので、情報格納素子１０から情報を読み取ることができない。
従って、情報格納素子用遮蔽体２３０は、悪意ある者によって個人を特定する情報が読み取られる機会を少なくすることができる。
【００５３】
なお、本実施の形態３に係る情報格納素子用遮蔽体２３０は、情報格納素子１０が埋設されたキーホルダー３３を収納するものであったが、情報格納素子１０が埋設でき、電波が透過する、ストラップ、ネックレス、ペンダント、ロケット、ブレスレット、ミサンガ、数珠などの商品を収納するパッケージであってもよい。
【００５４】
（実施の形態３の変形例）
本発明の実施の形態３に係る情報格納素子用遮蔽体の変形例を図面に基づいて説明する。
図１０（Ａ）に示すキーホルダー３３０は、本体部３３ｃが情報格納素子用遮蔽体２３２として機能するものである。
図１０（Ａ）及び同図（Ｂ）に示す本体部３３ｃは、情報格納素子１０が配置された前方を除く周囲全体に金属箔のシールド部材３３ｄが埋設されている。そして、情報格納素子１０の前方には、シールド部材として金属箔による遮蔽用シール３３ｅが貼り付けられている。
遮蔽用シール３３ｅは、引き剥がしたことが判別できる開封シールとすることができる。
【００５５】
キーホルダー３３０には、四つ折りした登録はがき１２が収納された紐付き袋１４が取り付けられている。使用者は、紐付き袋１４に収納された登録はがき１２に必要事項を記入して、図５に示す運営会社へ送付することで、使用者に関する情報が情報管理装置４２に登録される。
【００５６】
このようにキーホルダー３３０が構成されていることで、情報格納素子１０の前方を除いて情報格納素子１０を囲うシールド部材３３ｄと、情報格納素子１０の前方に位置する遮蔽用シール３３ｅとが情報格納素子１０の周囲を囲う。そうすることで、本体部３３ｃが情報格納素子用遮蔽体として機能する。
そのため、悪意ある者が読取装置により、情報格納素子１０に向けて読取信号を送信しても、情報格納素子用遮蔽体２３２として機能する本体部３３ｃに埋設された情報格納素子１０から、情報を読み取ることを防止することができる。
【００５７】
なお、登録はがき１２は、紐付き袋１４に四つ折りした状態で収納され、キーホルダー３３０に取り付けられていたが、キーホルダー３３０の購入時に使用者に登録はがき１２を手渡しすることができる。
【００５８】
（実施の形態４）
本発明の実施の形態４に係る情報格納素子用遮蔽体を図面に基づいて説明する。
図１１（Ａ）から同図（Ｃ）に示すように情報格納素子１０は、封止部１１に封止され、商品として杖３４の取手部３４ａに埋設されている。
この杖３４の取手部３４ａには、四つ折りした登録はがき１２が収納された紐付き袋１４が取り付けられている。この登録はがき１２は、取手部３４ａに取り付ける以外に、杖３４の棒部３４ｂに、袋１３に収納した状態で巻き付けておくことができる。
使用者は、登録はがき１２に必要事項を記入して図５に示す運営会社Ｃへ送付することで、使用者に関する情報が情報管理装置４２に登録される。
【００５９】
取手部３４ａの側面には、情報格納素子１０を埋設するための凹部３４ｃが形成されている。凹部３４ｃには、内側面（底面及び周壁面）に金属箔をシールド部材として貼り付けた遮蔽部２４１が形成されている。
この凹部３４ｃには、封止部１１に封止された情報格納素子１０が収納された状態で充填用樹脂材が充填されて充填部３４ｄが形成されている。
充填部３４ｄ内に埋設された情報格納素子１０の位置には、情報格納素子１０を覆うシート状のフィルム部材により形成され、凹部３４ｃの蓋部となるカバー部２４２が貼り付けられている。
【００６０】
カバー部２４２は、図７に示すカバー部２１３と同様に、フィルム部材に金属粉を含有させることで、読取信号を遮蔽するシールド部材としたフィルム部材により形成されている。また、カバー部２４２を、樹脂フィルムに金属箔を貼り付けることでシールド部材としたフィルム部材でも形成することができる。
【００６１】
使用者は、紐付き袋１４に収納された登録はがき１２を、図５に示す運営会社Ｃへ送付することで、使用者に関する情報が情報管理装置４２に登録される。
【００６２】
このように情報格納素子１０が遮蔽部２４１とカバー部２４２とによる情報格納素子用遮蔽体２４０により囲まれていることで、悪意ある者によって情報格納素子１０の個人を特定する情報が読み取られる機会を少なくすることができる。
【００６３】
また、カバー部２４２を杖３４の取手部３４ａから剥がすことで情報格納素子用遮蔽体２４０を開放状態とし、図４に示す読取装置４１により情報格納素子１０に格納された識別情報を読み取り、情報管理装置４２に問い合わせることで、使用者の身元を容易に把握することができる。
【００６４】
本実施の形態４では、情報格納素子１０が情報格納素子用遮蔽体２４０に囲まれた状態で杖３４に埋設されていたが、情報格納素子１０を埋設する商品は、他の商品としてもよい。例えば、商品は、老眼鏡などの眼鏡、サングラスのフレーム部分、補聴器、金属製の、ストラップ、ネックレス、ペンダント、ロケット、ブレスレット、ミサンガ、数珠などの商品であってもよい。
【００６５】
また、実施の形態１〜４では、登録はがき１２を投函して運営会社Ｃに識別情報を通知していたが、手渡し用カード、ファクシミリ用シート、又は運営会社Ｃが運営する登録サイトにより登録するようにしてもよい。また、患者が運営会社Ｃに電話を掛けることにより登録するようにしてもよい。
また、情報格納素子１０は、樹脂材による封止部１１により封止されていたが、封止部は、無線信号による読取信号を透過させることができれば他の材質のものでもよい。例えば、情報格納素子１０を格納する収納部が形成されたセラミックス製の箱状体とすることもできる。また、封止部は、読取り部分を開口させた金属製の箱状状態としたりすることができる。
更に、本実施の形態では、情報格納素子１０を、有床義歯３１（図３参照）、御守３２（図８参照）、キーホルダー３３（図９および図１０参照）、杖３４（図１１参照）に格納していたが、他の商品に格納されているようにしてもよい。
例えば、情報格納素子１０を、眼鏡、時計、指輪、靴、携帯電話、財布、ベルトなどにも収納することができる。
【００６６】
（実施の形態５）
本発明の実施の形態５に係る情報格納素子用遮蔽体を図面に基づいて説明する。
図１２（Ａ）および同図（Ｂ）に示すように情報格納素子１０は、封止部１１に封止され、上顎用総義歯Ｄ１および下顎用総義歯Ｄ２の人工歯５０に格納されている。
図５に示す製造販売会社Ｆからこの情報格納素子１０をオーダーした際に添付された登録はがき１２（図６参照）を運営会社Ｃへ送付することで、使用者に関する情報を情報管理装置４２（図４参照）に登録することができる。
【００６７】
図１３に示すように、この人工歯５０は、外層部５１と、内層部５２とを備えている。
外層部５１は、金属粉末を含有した樹脂により形成されていることで、読取信号を遮蔽する情報格納素子用遮蔽体のシールド部として機能する。また、外層部５１の樹脂は、自然歯と異なる色に着色されている。
内層部５２は、情報格納素子１０が格納され、読取信号を透過する樹脂により形成されている。
【００６８】
人工歯５０は、内層部５２を成形する金型のキャビティに、情報格納素子１０を配置して、内層部５２を成形した後、外層部５１を成形する金型のキャビティに、情報格納素子１０を格納した内層部５２を配置して外層部５１を成形することで、製造することができる。
【００６９】
シールド部材が、情報格納素子１０が格納される人工歯５０により形成されていることで、情報格納素子１０を人工歯５０に格納しても、人工歯５０がシールド部材であるため、情報格納素子１０から情報を読み出すことを防止することができる。
【００７０】
また、情報格納素子１０が内層部５２に格納されているが、外層部５１が自然歯と異なる色に着色されているため、情報格納素子１０が格納された人工歯５０を容易に特定できる。また、外層部５１により読取信号が遮蔽されるため、情報格納素子１０から情報が読み取れないが、内層部５２が露出するまで、外層部５１を切削することにより、情報格納素子１０から情報を読み出すことができる。
【００７１】
従って、図４に示す読取装置４１により情報格納素子１０に格納された識別情報を読み取り、情報管理装置４２に問い合わせることで、使用者の身元を容易に把握することができる。
【００７２】
本実施の形態５では、情報格納素子１０から読取信号を遮蔽する情報格納素子用遮蔽体として、図１２（Ａ）および同図（Ｂ）に示す総義歯Ｄ１，Ｄ２の人工歯５０としているが、部分床義歯の人工歯やインプラントの上部構造、クラウン、インレー、ラミネートベニア、ブリッジとしてもよい。
【産業上の利用可能性】
【００７３】
本発明は、無線信号による読取信号により非接触で情報が読み取られる情報格納素子を収納する情報格納素子用遮蔽体に好適である。
【符号の説明】
【００７４】
１０  情報格納素子
１１  封止部
１２  登録はがき
１２ａ，１２ｂ  シール
１３  袋
１４  紐付き袋
２００，２１０，２２０，２３０，２３２，２４０  情報格納素子用遮蔽体
２０１，２１１，２２１，２３１  パッケージ部
２０２  周縁部
２０２ａ  短辺
２０２ｂ  長辺
２０３  切欠部
２１２  台紙部
２１３  カバー部
２１３ａ  非接着部
２３１ａ  蓋部
２３１ｂ  開口部
２４１  遮蔽部
２４２  カバー部
３１  有床義歯
３１ａ  義歯床
３２  御守
３２ａ  木札
３３，３３０  キーホルダー
３３ａ  フック部
３３ｂ，３３ｃ  本体部
３３ｄ  シールド部材
３３ｅ  遮蔽用シール
３４  杖
３４ａ  取手部
３４ｂ  棒部
３４ｃ  凹部
３４ｄ  充填部
４０  情報管理システム
４１  読取装置
４２  情報管理装置
５０  人工歯
５１  外層部
５２  内層部
Ｗ  インターネット
Ｃ  運営会社
Ｄ  歯科医院
Ｇ  歯科技工士
Ｆ  製造販売会社
Ｍ  模型
Ｄ１，Ｄ２  総義歯
【図１】
2019040511.tif 000003
【図２】
2019040511.tif 000004
【図３】
2019040511.tif 000005
【図４】
2019040511.tif 000006
【図５】
2019040511.tif 000007
【図６】
2019040511.tif 000008
【図７】
2019040511.tif 000009
【図８】
2019040511.tif 000010
【図９】
2019040511.tif 000011
【図１０】
2019040511.tif 000012
【図１１】
2019040511.tif 000013
【図１２】
2019040511.tif 000014
【図１３】
2019040511.tif 000015